(57)【要約】      （修正有）【課題】容器の開口部を密封する閉じ蓋、及び容器に閉じ蓋を付与する方法を提供する。【解決手段】ボトル等の容器の口を密封する閉じ蓋１０に関し、第１態様は、容器の口により定められる開口部を密封する閉じ蓋であり、前記閉じ蓋は、前記口を覆うように適合された本体１２と、前記本体から伸びる非連続の外縁１４とを含み、前記外縁は、開き位置と閉じ位置との間で変形可能である。【選択図】図１ａ
2015166266.tif 000002
【特許請求の範囲】
【請求項１】
容器の口により定められる開口部を密封する閉じ蓋であって、前記閉じ蓋が、前記口を覆うように適合された本体と、前記本体の周りに設けられた非連続の外縁とを含み、前記外縁が、開き位置と閉じ位置との間で変形可能であり、前記閉じ蓋が、内部分と外部分とを含み、前記外部分が、第１本体と非連続の外縁とを含み、前記内部分が、第２本体と複数の指部とを含む、閉じ蓋。
【請求項２】
前記外部分の非連続の外縁が、前記第１本体から延びる複数のアームを含む、請求項１に記載の閉じ蓋。
【請求項３】
非連続点が、隣接するアームの間に定められる、請求項２に記載の閉じ蓋。
【請求項４】
各アームが、容器嵌合面と外面とを有する、請求項２又は３に記載の閉じ蓋。
【請求項５】
前記複数のアームが、前記開き位置で前記第１本体から半径方向に伸びる、請求項２〜４のいずれか１項に記載の閉じ蓋。
【請求項６】
前記閉じ蓋が前記容器の口と嵌合するときに、前記複数のアームのうちの幾つか又は全ての容器嵌合面が前記容器の口の隣に位置するように、前記閉じ位置で前記複数のアームのうちの幾つか又は全てが配置される、請求項２〜４のいずれか１項に記載の閉じ蓋。
【請求項７】
各アームが、一体型ヒンジにより前記第１本体に蝶番式に備え付けられる、請求項２〜６のいずれか１項に記載の閉じ蓋。
【請求項８】
前記複数のアームのうちの少なくとも１つが、保持要素を更に含む、請求項２〜７のいずれか１項に記載の閉じ蓋。
【請求項９】
前記閉じ蓋が前記容器の口と嵌合するときに、前記保持要素が、前記容器の口に向かって配置される、請求項８に記載の閉じ蓋。
【請求項１０】
前記複数のアームのうちの少なくとも幾つかが、各々の隣接するアームに固定されるように適合される、請求項２〜９のいずれか１項に記載の閉じ蓋。
【請求項１１】
前記閉じ蓋が、各アームを隣接するアームに固定するための固定手段を更に含む、請求項２〜１０のいずれか１項に記載の閉じ蓋。
【請求項１２】
前記固定手段が、前記閉じ位置で、前記複数のアームのうちの少なくとも幾つかの間の接続を形成するように適合された接続部材を含む、請求項１１に記載の閉じ蓋。
【請求項１３】
前記固定手段が、前記閉じ位置で、前記複数のアームのうちの幾つか又は全てに少なくとも部分的に外接するように適合された環状部材を含む、請求項１１又は１２に記載の閉じ蓋。
【請求項１４】
各アームの少なくとも一部が、前記閉じ位置で隣接するアームの少なくとも一部と少なくとも一部分の接続を形成する、請求項２〜１０のいずれか１項に記載の閉じ蓋。
【請求項１５】
隣接するアーム間の接続が、前記閉じ位置で一体的に環を形成する、請求項１４に記載の閉じ蓋。
【請求項１６】
各指部が、容器嵌合面と外面とを有する、請求項１〜１５のいずれか１項に記載の閉じ蓋。
【請求項１７】
前記複数の指部の間に、前記複数のアームが置かれる、請求項２〜１６のいずれか１項に記載の閉じ蓋。
【請求項１８】
前記閉じ蓋が前記容器の口と嵌合するときに、前記複数の指部のうちの幾つか又は全ての容器嵌合面が前記容器の口の外面の隣に位置するように、前記複数の指部のうちの幾つか又は全てが配置される、請求項１６〜１７のいずれか１項に記載の閉じ蓋。
【請求項１９】
前記閉じ蓋が前記容器の口と嵌合するときに、前記複数の指部のうちの幾つか又は全ての外面が前記容器の口の内面の隣に位置するように、前記複数の指部のうちの幾つか又は全てが配置される、請求項１６〜１７のいずれか１項に記載の閉じ蓋。
【請求項２０】
前記複数の指部のうちの少なくとも１つが、保持要素を更に含む、請求項１〜１９のいずれか１項に記載の閉じ蓋。
【請求項２１】
前記閉じ蓋が前記容器の口と嵌合するときに、前記保持要素が前記容器の口に向かって配置される、請求項２０に記載の閉じ蓋。
【請求項２２】
各指部の外面の少なくとも一部が、前記閉じ位置で、隣接するアームの容器嵌合面の少なくとも一部を受容するように適合される、請求項１〜２１のいずれか１項に記載の閉じ蓋。
【請求項２３】
各指部の外面が、隣接するアームの容器嵌合面の少なくとも一部を受容するように形及び寸法が定められた、少なくとも１つのくぼみを含む、請求項２２に記載の閉じ蓋。
【請求項２４】
前記外部分が、前記内部分を受容するように適合される、請求項１〜２３のいずれか１項に記載の閉じ蓋。
【請求項２５】
前記閉じ蓋が、変形可能な材料から形成される、請求項１〜２４のいずれか１項に記載の閉じ蓋。
【請求項２６】
前記閉じ蓋が、アセタール、ポリエチレンテレフタレート（ＰＥＴ）、ナイロン、トパーズ、アクリロニトリル・ブタジエン・スチレン（ＡＢＳ）、ポリカーボネート、及びポリオレフィン（ＰＯＥ）から選択される熱可塑性材料から形成される、請求項２５に記載の閉じ蓋。
【請求項２７】
前記閉じ蓋が、金属又は金属合金から形成される、請求項２５に記載の閉じ蓋。
【請求項２８】
前記閉じ蓋が、接着可能な材料から形成される、請求項１〜２４のいずれか１項に記載の閉じ蓋。
【請求項２９】
前記外縁のアーム又は指部のうちの少なくとも幾つか又は全ての終端が、点又は縁を形成するように横方向に伸びる、請求項１〜２８のいずれか１項に記載の閉じ蓋。
【請求項３０】
請求項１〜２９のいずれか１項に記載の閉じ蓋を利用して、容器の口により定められる開口部を密封する方法であって、前記方法が、前記容器の口に前記閉じ蓋を付与する工程と、前記開き位置から前記閉じ位置へ前記非連続の外縁を変形する工程とを含む、方法。
【請求項３１】
前記変形する工程が、前記閉じ蓋にエネルギーを与えることにより、前記閉じ蓋の少なくとも一部の内部エネルギーを増加させる工程を含む、請求項３０に記載の方法。
【請求項３２】
前記方法が、前記閉じ蓋の少なくとも一部の内部エネルギーを減少させる工程を更に含む、請求項３１に記載の方法。
【請求項３３】
与えられるエネルギーが、超音波又は振動エネルギーの形態にある、請求項３１に記載の方法。
【請求項３４】
与えられるエネルギーが、熱エネルギーの形態にある、請求項３１に記載の方法。
【請求項３５】
与えられるエネルギーが、誘導又は電磁気エネルギーの形態にある、請求項３１に記載の方法。
【請求項３６】
容器の口により定められる開口部に付与された、請求項１〜２９のいずれか１項に記載の閉じ蓋を取り除く方法であって、前記方法が、前記外縁に非連続点を導入する工程を含む、方法。
【請求項３７】
請求項１〜２９のいずれか１項に記載の閉じ蓋を利用して、容器の口により定められる開口部を密封するための組立システムであって、前記組立システムが、前記容器の口に閉じ蓋を付与するための手段と、前記開き位置から前記閉じ位置へ前記非連続の外縁を変形するための手段とを含む、組立システム。
【発明の詳細な説明】
【技術分野】
【０００１】
本発明は、容器の開口部を密封する閉じ蓋に関する。特に、本発明は、ボトル等の容器の口を密封する閉じ蓋に関する。本発明は、容器に閉じ蓋を付与する方法も提供する。
【背景技術】
【０００２】
王冠型の閉じ蓋は、１８９２年以来存在しており、その容易さと効率性により、尚、ガラス瓶に用いられる閉じ蓋の選択肢である。
【０００３】
しかしながら、王冠型の閉じ蓋は、最新の軽量プラスチックボトル又はアルミニウムボトルに理想的には適しておらず、なぜなら、ボトルは、押し下げられてボトルの上唇の周囲に圧着される閉じ蓋の付与に関連する圧力と力に耐えることができるように、厚さ又は強度に関して、ガラス瓶と同じ寸法に製造されなければならないからである。標準的なねじ込み式の閉じ蓋は、２つの主要な欠点を有しており、ボトルは、閉じ蓋を保持するために、材料の利用に関して、丈が高く比較的重い溝形を与えなければならず、そのために、ボトルから材料を取り除く、故に重量を除く可能性が低くなるという点である。特に、ビールの場合、製品に接触する酸素レベルを最小限に保つことが好ましいので、王冠型の閉じ蓋に比べてより長い外縁長を有するねじ込み式の蓋の中に捕捉される空気容積は、ビールの質を保つことへの有害な影響を有する。
【０００４】
米国特許第５，３７９，９０８号公報は、隘路を有する容器用のプラスチック製の閉じ蓋を開示しており、前記閉じ蓋は、前記容器の隘路を取り囲む袖部分と、引き抜かれるように前記袖部分に取り付けられ、前記袖部分により画定された開口部を露出する蓋部分と、前記袖部分上に固定され、かつ前記袖部分における材料の弱い箇所にて実質的に水平な軸の周りで枢動する把持部と、前記把持部の第１の側面と関連するツマミとを備え、前記把持部は、閉鎖位置において互いに同じ高さで隣接しており、かつ前記隘路を包囲する閉鎖表面を作るように接合され、前記把持部のそれぞれは第１および第２の側面を有し、前記把持部の第１の側面は、それぞれ隣接する把持部の第２の側面の方向に向いており、前記把持部は、立面図で見られる際に長方形であり、かつ前記閉鎖位置における水平な横断面で見られる際に湾曲しており、前記ツマミはツマミ断面を有し、前記把持部の第２の側面は、前記閉鎖位置において前記ツマミを受け入れるための、その中に形成された凹部を有し、前記凹部は、前記凹部のそれぞれの中に前記ツマミを入れ子にするための、前記ツマミ断面を補足する断面を有し、前記把持部の第１および第２の側面は、半径方向に内方に傾いており、かつ前記閉鎖位置において互いに緊密に隣接している。
【０００５】
流体、特に、液体用の容器は、通常、アルミニウム、又はポリエチレンテレフタレート［ポリ（エチレン）テレフタレート又はＰＥＴ］等の熱可塑性ポリマー樹脂から製造される。ＰＥＴは、その軽量特性、高度の衝撃耐性、及び引張強度のために、液体用容器の製造で選択されることが多い。ＰＥＴ容器、特に、液体用ボトルは、２つの基本的な成形方法、１工程方法又は２工程方法を利用して形成される。
【０００６】
２工程方法では、第１機械射出は、頸部と本体とを有する母材を成形する。母材の頸部は、溝を付けられたねじ込み式のキャップを付するための溝を有し、その溝は、適所にその場で成形される。母材の本体は、第２工程での最終形で膨張するので、十分に厚い。この工程では、母材の本体は、高温に、通常、９５〜１１５℃に素早く加熱され、次に、軸方向に引き伸ばされ、２部成形型に対して膨張し、ボトルの最終形を形成する。
【０００７】
１工程方法では、生材から仕上げ容器までのプロセス全体が、１つの機械の中で行われ、それは、標準的ではない形（特注成形）に適している。
【０００８】
どちらかの成形方法により形成されるボトルは、炭酸飲料等の液体用容器として、食品産業に利用される。しかしながら、母材の頸部に与えられる溝は、相当の重量を、通常、母ボトルの全重量のほぼ８〜１０％を含む場合がある。
【発明の概要】
【０００９】
従って、本発明の目的は、従来技術に関連する少なくとも幾つかの欠点を回避する閉じ蓋を提供することである。
【課題を解決するための手段】
【００１０】
本発明の第１態様によれば、容器の口により定められる開口部を密封する閉じ蓋が提供される。前記蓋は、閉じ口部を覆うように適合された本体を含み、非連続の外縁が、その本体から伸び、外縁は、開き位置と閉じ位置との間で変形することができる。
【００１１】
用語「非連続の」は、少なくとも１点の非連続性を有することを意味し、外縁の少なくとも１つの裂け目、間隙、開口部、類似の円周方向の断絶、又はそれらの組み合わせを含むことを意図している。
【００１２】
好ましくは、本体は、第１面と第２面とを有する。好ましくは、使用中、第１面は、容器嵌合面である。更に、好ましくは、使用中、第２面は、外部面である。
【００１３】
好ましくは、本体は、実質的に円盤状である。
【００１４】
好ましくは、開き位置では、外縁の自由端は、容器の口の外周よりも大きな円周を定める。好ましくは、閉じ位置では、外縁の自由端は、容器の口の外周と実質的に等しい円周を定める。
【００１５】
好ましくは、外縁は、本体から伸びる複数のアームを含む。
【００１６】
任意選択で、外縁は、本体から伸びる複数の離間したアームを含む。
【００１７】
好ましくは、各アームは、第１面と第２面とを有する。好ましくは、使用中、第１面は、容器嵌合面である。更に、好ましくは、使用中、第２面は、外部面である。
【００１８】
好ましくは、非連続点は、隣接するアームの間に定められる。
【００１９】
任意選択で、開き位置では、複数のアームが、本体から実質的に半径方向に伸びる。
【００２０】
任意選択で、閉じ位置では、幾つかの又は全ての複数のアームは、幾つかの又は全てのアームの容器嵌合面が、使用中、容器の口の隣に位置するように方向付けられる。更に、任意選択で、閉じ位置では、幾つかの又は全ての複数のアームは、幾つかの又は全てのアームの容器嵌合面が、使用中、容器の口と並列関係に位置するように方向付けられる。
【００２１】
任意選択で、各アームは、本体に蝶番式に備え付けられる。
【００２２】
任意選択で、各アームは、一体型ヒンジにより本体に備え付けられる。「一体型ヒンジ」とは、２つの本体の境界に位置し、前記本体が、幾何学的な継手軸の周りで相対的に旋回運動するのを可能にする継手であって、前記継手が、前記本体の一方又は両方と一体化している、継手を意味する。
【００２３】
任意選択で、一体型ヒンジは、弱め線を含む。
【００２４】
好ましくは、少なくとも１つのアームが、保持要素を更に含む。
【００２５】
好ましくは、保持要素が、少なくとも１つのアームの容器嵌合面に位置する。好ましくは、保持要素は、アームの長手軸に対して実質的に内側に伸びる。
【００２６】
好ましくは、保持要素は、アームの外面から垂直方向に実質的に伸びる。好ましくは、使用中、保持要素は、容器の口に向って方向付けられる。
【００２７】
任意選択で、少なくとも幾つかのアームは、各々の隣接するアームに固定されるように適合される。好ましくは、各アームは、各々の隣接するアームに固定されるように適合される。
【００２８】
任意選択で又は代わりに、閉じ蓋は、隣接するアームに各アームを固定する手段を更に含む。任意選択で、固定手段は、閉じ位置で、少なくとも幾つかのアームの間に接続を形成するように適合された接続部材を含む。更に、任意選択で、固定手段は、閉じ位置に、幾つかの又は全てのアームに少なくとも部分的に外接するように適合された環状部材を含む。
【００２９】
好ましくは、閉じ位置では、各アームの少なくとも一部は、隣接するアームの少なくとも一部との少なくとも一部分の接続を形成することができる。
【００３０】
任意選択で、閉じ位置で、接続は、アームと少なくとも１つの隣接するアームとの間で形成される。更に、任意選択で、その接続は、幾つかの又は各々アームの間に形成される。好ましくは、その接続は、各アームの間で行われる。
【００３１】
任意選択で、閉じ位置で、隣接するアーム間のその接続は、一体的に環を形成する。好ましくは、その環は、連続した環である。任意選択で、使用中に閉じ位置では、その環は、容器の口に少なくとも部分的に外接する。
【００３２】
任意選択で、閉じ蓋は、複数の指部を更に含む。
【００３３】
好ましくは、各指部は、第１面と第２面とを有する。好ましくは、使用中、第１面は、容器嵌合面である。更に好ましくは、使用中、第２面は、外面である。任意選択で、複数の指部は、本体から伸びる。好ましくは、複数の指部は、本体の容器嵌合面から伸びる。更に任意選択で、複数の指部は、本体の容器嵌合面から実質的に垂直に伸びる。
【００３４】
任意選択で、複数の指部の間に複数のアームを置く。
【００３５】
任意選択で、幾つかの又は全ての複数の指部は、使用中に、幾つかの又は全ての指部の容器嵌合面が容器の口の外面の隣に位置するように方向付けられる。更に任意選択で、幾つかの又は全ての複数の指部は、使用中に、幾つかの又は全ての指部の容器嵌合面が、容器の口の外面と並列関係に位置するように方向付けられる。
【００３６】
代わりに、幾つかの又は全ての複数の指部は、使用中に、幾つかの又は全ての指部の外面が、容器の口の内面の隣に位置するように方向付けられる。任意選択で、幾つかの又は全ての複数の指部は、使用中に、幾つかの又は全ての指の外面が、容器の口の内面と並列関係に位置するように方向付けられる。
【００３７】
任意選択で、少なくとも１つの指部は、保持要素を更に含む。
【００３８】
好ましくは、保持要素は、少なくとも１つの指部の容器嵌合面に位置する。
【００３９】
好ましくは、保持要素は、指部の長手軸に対して実質的に内側に伸びる。
【００４０】
好ましくは、使用中に、保持要素は、容器の口に向って方向付けられる。
【００４１】
任意選択で、各指部の外面の少なくとも一部は、閉じ位置で、隣接するアームの容器嵌合面の少なくとも一部を受容するように適合される。
【００４２】
任意選択で、各指部の外面は、隣接するアームの容器嵌合面の少なくとも一部を受容するように形及び寸法が定められた少なくとも１つのくぼみを含む。好ましくは、各指部の外面は、２つのくぼみを含み、各々は、関わりのある隣接するアームの容器嵌合面の少なくとも一部を受容するように形及び寸法が定められる。
【００４３】
任意選択で、閉じ蓋は、内部分と外部分とを含む。
【００４４】
任意選択で、外部分は、第１本体と非連続の外縁とを含み、任意選択で、複数のアームを含む。
【００４５】
任意選択で、内部分は、第２本体と複数の指部とを含む。
【００４６】
好ましくは、第２本体の各指部は、第１面と第２面とを有する。好ましくは、使用中に、第１面は、容器嵌合面である。更に好ましくは、使用中に、第２面は、外面である。
【００４７】
任意選択で、複数の指部は、第２本体から伸びる。好ましくは、複数の指部は、第２本体の容器嵌合面から伸びる。更に任意選択で、複数の指部は、第２本体の容器嵌合面から実質的に垂直に伸びる。
【００４８】
好ましくは、幾つかの又は全ての複数の指部は、使用中に、幾つかの又は全ての指部の容器嵌合面が容器の口の外面の隣に位置するように方向付けられる。更に任意選択で、幾つかの又は全ての複数の指部は、使用中に、幾つかの又は全ての指部の容器嵌合面が、容器の口の外面と並列関係に位置するように方向付けられる。
【００４９】
代わりに、幾つかの又は全ての複数の指部は、使用中に、幾つかの又は全ての指部の外面が、容器の口の隣に位置するように方向付けられる。任意選択で、幾つかの又は全ての複数の指部は、使用中に、幾つかの又は全ての指部の外面が、容器の口の内面と並列関係に方向付けられる。
【００５０】
任意選択で、内部分の少なくとも１つの指部、又は、外部分の少なくとも１つのアームは、保持要素を含む。好ましくは、保持要素は、内部分の少なくとも１つの指部の、又は、外面の少なくとも１つのアームの容器嵌合面に位置する。
【００５１】
好ましくは、保持要素は、内部分の少なくとも１つの指部の、又は、外部分の少なくとも１つのアームの長手軸に対して実質的に内側に伸びる。
【００５２】
好ましくは、使用中に、保持要素は、容器の口に向って方向付けられる。
【００５３】
好ましくは、外部分は、内部分を受容するように適合される。
【００５４】
任意選択で、外面は、内部分に固定される。外部分は、締りばめ装置等の内部分に機械的に固定されてもよい。更に任意選択で、外部分は、内部分に粘着されてもよい。内部分への外部分の粘着は、熔接技術、接着剤、又は当業者により検討されるいずれかの他の適切な技術を利用して達成され得る。
【００５５】
任意選択で、閉じ蓋は、変形可能な材料から形成される。更に任意選択で、閉じ蓋は、熱変形可能な材料から形成される。更に任意選択で、閉じ蓋は、プラスチック又は金属等の熱変形可能な材料から形成される。
【００５６】
任意選択で、閉じ蓋は、プラスチック等の熱変形可能な材料から形成される。好ましくは、材料は、熱可塑性材料である。任意選択で、熱可塑性材料は、結晶性熱可塑性材料である。熱可塑性材料は、アセタール、ポリエチレンテレフタレート（ＰＥＴ）、ナイロン、トパーズ、アクリロニトリル・ブタジエン・スチレン（ＡＢＳ）、ポリカーボネート、及びポリオレフィン（ＰＯＥ）を含む群から選択され得るが、これらに限定されない。
【００５７】
代わりに、閉じ蓋は、金属等の熱変形可能な材料から形成される。任意選択で、金属は、金属合金である。金属又は金属合金は、アルミニウム及び銅を含む群から選択され得るが、これらに限定されない。
【００５８】
任意選択で、各アームの少なくとも一部は、熱変形可能である。更に好ましくは、各アームの少なくとも末端は、熱変形可能である。各アームの少なくとも末端は、熱変形可能な材料から形成され得る。任意選択で又は追加で、各指部の少なくとも一部は、熱変形可能である。更に好ましくは、各指部の少なくとも末端は、熱変形可能である。各指部の末端は、熱変形可能な材料から形成され得る。
【００５９】
「熱変形可能な」は、内部エネルギーの変化に応答して、状態を遷移させることができることを意味する。好ましくは、内部エネルギーの増加により、固体状態から液体状態に遷移することになり、本明細書では「溶融する」と呼ばれる。任意選択で、内部エネルギーの減少により、液体状態から固体状態に遷移することになり、本明細書では、「凝固する」と呼ばれる。状態の変化は、必ずしも固体から液体である必要はなく、半固体相を包含することが理解される。
【００６０】
任意選択で、閉じ蓋は、接着可能な材料から形成される。
【００６１】
任意選択で、各アームの少なくとも一部は、接着可能である。更に好ましくは、各アームの少なくとも末端は、接着可能である。各アームの少なくとも末端は、接着可能な材料から形成され得る。
【００６２】
任意選択で又は追加で、各指の少なくとも一部は、変形可能である。更に好ましくは、各指部の少なくとも末端は、接着可能である。各指部の少なくとも末端は、接着可能な材料から形成され得る。
【００６３】
「接着可能な」材料とは、接合（癒合）を形成することができる材料意味する。任意選択で、接着剤は、接合されるべき２つの本体の間で伸びる。本体は、同じ材料又は異なる材料から形成され得る。本体は、同じ接着可能な材料又は異なる接着可能な材料から形成され得る。好ましくは、本体は、同じ接着可能な材料から形成される。
【００６４】
任意選択で、接着剤は、本体のうちの１つ又は各々の少なくとも一部の和合（融合）２つの本体の間で伸びる。接合後に、２つの本体は、任意選択で、一体的な本体を一体的に形成する。接合は、２つの本体の間の境界の少なくとも一部に拡がり得る、又は、接合は、２つの本体の間の境界の全体を拡がり得ると理解される。任意選択で、接合は、微視的レベルで形成される。更に任意選択で、接合は、原子的レベルで形成される。接着可能な材料は、内部エネルギーの変化に応じて状態を遷移させ得ず、接合は、原子の拡散から生じ、それにより、接着可能な材料からの原子は、拡散し、２つの本体の間で原始的接合を形成すると理解される。
【００６５】
任意選択で、各アーム又は指部の少なくとも一部は、隣接するアーム又は指部の少なくとも一部と、接合等の少なくとも一部分の接続を形成することができる。
【００６６】
任意選択で、閉じ蓋は、金属等の接着可能な材料から形成される。任意選択で、金属は、金属合金である。金属又は金属合金は、アルミニウム及び銅を含む群から選択され得るが、これらに限定されない。
【００６７】
任意選択で、閉じ蓋が内部分と外部分とを含む場合、内部分と外部分は、同じ又は異なる材料から形成され得る。好ましくは、内部分と外部分は、各々が、同じ材料から形成される。
【００６８】
任意選択で、内部分と外部分は、各々が、変形可能な材料、任意選択で、プラスチック又は金属等の熱変形可能な材料から形成される。代わりに、内部分と外部分は、各々が、金属等の接着可能な材料から形成される。
【００６９】
任意選択で又は追加で、外縁の少なくとも幾つかの又は全てのアーム又は指部は、内部エネルギーの増加を容易にするように適合される。好ましくは、外縁の少なくとも幾つかの又は全てのアーム又は指部は、内部エネルギーの増加を容易にするように形及び寸法が定められる。更に好ましくは、外縁の少なくとも幾つかの又は全てのアーム又は指部の一部は、内部エネルギーの増加を容易にするように形及び寸法が定められる。
【００７０】
好ましくは、外縁の少なくとも幾つかの又は全てのアーム又は指部の終端は、内部エネルギーの増加を容易にするように形及び寸法が定められる。好ましくは、その終端は、横手方向に伸び、点又は外縁を形成する。
【００７１】
任意選択で又は追加で、閉じ蓋は、容器に付された後に、流体の流れを低減する手段を更に含む。好ましくは、その低減手段は、流体不浸透性薄膜を含む。好ましくは、薄膜は、金属から形成される。好ましくは、金属は、アルミニウムである。代わりに、金属は、鋼鉄又は錫を含まない鋼鉄（ＴＦＳ）である。
【００７２】
任意選択で、閉じ蓋は、炭酸液体から放出されるガス泡により生成される発泡体の特性を管理するための小型装置等の装置を少なくとも部分的に受容するように適合される。更に任意選択で、閉じ蓋の内部分は、炭酸液体から放出されるガス泡により生成される発泡体の特性を管理するための小型装置等の装置を少なくとも部分的に受容するように適合される。
【００７３】
任意選択で又は代わりに、閉じ蓋の本体は、頸部を更に含む。
【００７４】
好ましくは、頸部は、本体から伸びる。更に好ましくは、頸部は、本体の外面から伸びる。更に好ましくは、頸部は、本体の外面から実質的に垂直に伸びる。
【００７５】
好ましくは、頸部は、流体がその部分を通り抜けることができるように適合される。更に好ましくは、頸部は、形の実質的に円筒形であり、開口端を有する。加えて、本体は、流体がその本体を通り抜けることができるように適合される。好ましくは、本体は、流体が通り抜けるのを可能にする開口部を含む。
【００７６】
任意選択で又は追加で、頸部は、ねじ溝を更に含む。好ましくは、ねじ溝は、頸部の外部極面上に位置する。
【００７７】
代わりに、閉じ蓋は、停止栓又は差込栓を更に含む。
【００７８】
好ましくは、停止栓又は差込栓は、本体から伸びる。更に好ましくは、停止栓又は差込栓は、本体の容器嵌合面から伸びる。更に好ましくは、停止栓又は差込栓は、本体の容器嵌合面から実質的に垂直に伸びる。任意選択で、停止栓又は差込栓は、容器の開口部での密封を可逆的に成すように配置される。任意選択で、停止栓又は差込栓は、容器の開口部をと共に、締めばねを成すように形及び寸法が定められる。
【００７９】
任意選択で又は代わりに、閉じ蓋は、液体を分注する手段、又は、液体が通り抜けるのを可能にする手段を更に含む。
【００８０】
任意選択で、分注手段は、閉じ位置と開き位置との間で操作できるように適合される。
【００８１】
任意選択で、分注手段は、飲み口を含む。
【００８２】
任意選択で、分注装置は、閉じ位置と開き位置との間で操作できるように適合された飲み口を含む。更に任意選択で、分注手段は、閉じ蓋に蝶番式に備え付け可能な飲み口を含む。
【００８３】
任意選択で、飲み口は、実質的に円筒状であり、閉じ蓋に蝶番式に備え付けできるように適合される。更に任意選択で、飲み口は、実質的に円筒であり、開口端を有し、蝶番式に備え付けできるように適合される。
【００８４】
任意選択で、分注手段は、球窩式アセンブリにより、閉じ蓋に蝶番式に備え付けることができる飲み口を含む。
【００８５】
任意選択で、飲み口は、球部分と一体化している。
【００８６】
任意選択で、窩部分は、閉じ蓋と一体化している。
【００８７】
任意選択で、窩部分は、流体が飲み口に通るのを妨げるために、飲み口の少なくとも一部を受容する手段を更に含む。任意選択で、受容手段は、飲み口の一部を可逆的に受容するように形及び寸法が定められる少なくとも１つの流路を含む。任意選択で、その又は各流路は、閉じ位置で、飲み口の開口端の少なくとも１つと共に、締めばねを成すように形及び寸法が定められる。任意選択で、飲み口は、閉じ位置と開き位置との間で蝶番式に移動可能である。閉じ位置では、流体が通り抜けるのを妨げるように飲み口が配置され、開き位置では、流体が通り抜けるのを可能にするように飲み口が配置されると理解される。
【００８８】
本発明の第２態様により提供されるのは、本発明の第１態様による閉じ蓋を利用して、容器の口により定められる開口部を密封するための方法であり、本方法は、容器の口に閉じ蓋を付与する工程と、開き位置から閉じ位置へ、非連続の外縁を変形する工程とを含む。
【００８９】
任意選択で、変形工程は、少なくとも一部の閉じ蓋の内部エネルギーを増加させることを含む。更に任意選択で、閉じ蓋にエネルギーを加えることにより、内部エネルギーが増す。更に任意選択で、外縁にエネルギーを加えることにより、内部エネルギーは増加する。エネルギーは、外部エネルギー源から与えられ得る。
【００９０】
任意選択で、外部から与えられるエネルギーの量は、閉じ蓋の少なくとも一部を熱で変形させるのに十分である。更に任意選択で、外部から与えられるエネルギーの量は、少なくとも一部の閉じ蓋の温度を、閉じ蓋の少なくとも一部が形成される材料の溶融温度に増加させるのに十分である。更に任意選択で、外部から与えられるエネルギーの量は、閉じ蓋の少なくとも一部を溶融するのに十分である。外部から与えられるエネルギーの種類及び量は、閉じ蓋が形成される材料の物理的特性に依存し、各々が、独立して、当業者により選択され得る。
【００９１】
任意選択で、外部から与えられるエネルギーの量は、閉じ蓋の少なくとも２つの部分の間の接合を形成するのに十分である。更に任意選択で、外部から与えられるエネルギーの量は、接合が原子的拡散から生じ得るのに十分であり、それにより、閉じ蓋の少なくとも２つの部分からの原子は、閉じ蓋の少なくとも２つの部分の間で原子的接合を形成するように拡散する。外部から与えられる種類及び量は、閉じ蓋が形成される材料の物理的特性に依存し、各々が独立して、当業者により選択され得る。任意選択で、本方法は、外縁の少なくとも一部の、内部エネルギーを増加させる工程を更に含む。更に任意選択で、本方法は、を含む。外縁のアームの少なくとも一部の、内部エネルギーを増加させる工程を含む。
【００９２】
好ましくは、外縁のアームの少なくとも一部は、溶融される。更に好ましくは、アームの少なくとも一部は、隣接するアームとの少なくとも一部分の接続を形成するように溶融される。
【００９３】
代わりに、接合は、外縁の少なくとも一部のアームの間で形成される。好ましくは、少なくとも一部分の接合は、アームの少なくとも一部と隣接するアームとの間で形成される。
【００９４】
任意選択で又は追加で、閉じ蓋の指部の少なくとも一部は、溶融される。更に任意選択で又は追加で、アームの少なくとも一部は、隣接指部又は外縁の隣接するアームと、少なくとも一部分の接合を形成するように溶融される。
【００９５】
任意選択で又は追加で、接合は、閉じ蓋の少なくとも一部の指部の間で形成される。更に任意選択で又は追加で、少なくとも一部分の接合は、アームの少なくとも一部と、隣接指部又は外縁の隣接するアームとの間で形成される。
【００９６】
任意選択で又は追加で、本方法は、少なくとも一部の閉じ蓋の内部エネルギーを減らす工程を更に含む。好ましくは、隣接するアーム又は指部の間で形成される少なくとも一部分の接合は、連続した環を形成するように凝固される。
【００９７】
閉じ蓋が、アセタール、ポリエチレンテレフタレート（ＰＥＴ）、ナイロン、トパーズ、アクリロニトリル・ブタジエン・スチレン（ＡＢＳ）、ポリカーボネート又はポリオレフィン（ＰＯＥ）等の熱可塑性材料から形成される場合、閉じ蓋に与えられるエネルギーの量は、閉じ蓋が、約１６０℃〜約２５０℃の範囲の温度を有するのに十分である。
【００９８】
任意選択で、外部から与えられるエネルギーは、レーザの形態である。
【００９９】
好ましくは、外部から与えられるエネルギーは、超音波又は振動エネルギーの形態である。任意選択で、エネルギーは、熱エネルギーの形態である。閉じ蓋上に可逆的に配置され得る音極等の器具を利用して、超音波又は振動エネルギーを与えることができる。音極の穴は、音極と、熱で変形されるべき閉じ蓋の一部分又は部分（複数）との間の接触を確保するようにその大きさと寸法が定められるように検討される。
【０１００】
任意選択で又は追加で、音極が取り除かれた後に所望の形が得られ、保持されることを確保するために、音極の穴は、閉じ蓋を半径方向の内側に加圧するように配置される。
【０１０１】
代わりに、音極の穴は、閉じ蓋上の点を又は加圧するように配置される。
【０１０２】
任意選択で、音波又は信号エネルギーは、軸方向の振動で又は捩り振動を介して与えられる。振動の振幅は、２０ｋＨｚの周波数で、ピーク間で約１２５μｍに検討される。音極は、操作中に、適切な増幅器及び発生器に接続され得ると理解される。
【０１０３】
任意選択で、エネルギーは、誘導又は電磁気エネルギーの形態であり得る。任意選択で、誘導又は電磁気エネルギーは、誘導コイル等の放電変換器を利用して与えられる。誘導コイルは、操作中に、適切な発生器に接続され得ると理解される。
【０１０４】
誘導コイルは、各々の閉じ蓋を個別に取り巻き得る。又は、代わりに、エネルギーは、閉じ蓋が付与される複数の容器に付与される幾つかの閉じ蓋に同時に及ぶように線形的に与えられる。任意選択で、誘導コイルは、閉じ蓋上の点に又は閉じ蓋にエネルギーを与えるように配置される。
【０１０５】
本発明の第３態様により提供されるのは、容器の口により定められる開口部に付与される、本発明の第１態様による閉じ蓋を取り除く方法であり、本方法は、外縁に非連続点を導入する工程を含む。
【０１０６】
本発明の第４態様により提供されるのは、本発明の第１態様による閉じ蓋を利用して、容器の口により定められる開口部を密封する組立システムである。その組立システムは、容器の口に閉じ蓋を付与する手段と、開き位置から閉じ位置へ、非連続の外縁を変形する手段とを含む。
【０１０７】
本発明の６つの実施形態が、類似の形状を示すのに同じ番号が使用されている付属の図面を参照しながら、ここで記載されることになる。
【図面の簡単な説明】
【０１０８】
【図１ａ】本発明の第１態様による閉じ蓋の斜視図である。
【図１ｂ】図１ａの閉じ蓋の側面図である。
【図２ａ】図１ａの閉じ蓋の下側の平面図である。
【図２ｂ】図２ａ線Ａ−Ａを通る断面側面図である。
【図３ａ】本発明の第２実施形態による閉じ蓋の展開斜視図である。
【図３ｂ】図３ａの閉じ蓋の展開側面図である。
【図３ｃ】本発明の第３実施形態による閉じ蓋の断面側面図である。
【図４】本発明による閉じ蓋を与える工程（４ａ）、容器の口に閉じ蓋を付与する工程（４ｂ）、及び開き位置から閉じ位置へ外縁を変形する工程（４ｃ）である。
【図５】本発明の第４実施形態による閉じ蓋の断面図である。
【図６】本発明の第５実施形態による閉じ蓋の側面図である。
【図７】本発明の第６実施形態による閉じ蓋の斜視図（７ａ）及び断面図（７ｂ）である。
【図８】本発明の第１実施形態による閉じ蓋を利用して、容器の口により定められる開口部を密封する組立システムの側面図（８ａ）、平面図（８ｂ）、及び（８ｃ）である。
【図９】本発明の第１態様による閉じ蓋を利用して、容器の口により定められる開口部を密封する音極の側面図である。
【発明を実施するための形態】
【０１０９】
ここで、図１ａ及び図１ｂに関して、本発明の第１実施形態による閉じ蓋１０が示される。閉じ蓋は、本体１２及び外縁１４を含む。本体１２は、一般に、形が、円盤状且つ平面状である。外縁１４は、一般に環状であり、本体１２の円周端に固定される固定端１３と、円周方向の自由端１３’とを有する。
【０１１０】
図２ａは、本発明の第１実施形態による閉じ蓋１０の下側の平面図である。外縁１４は、複数の離間したアーム１６と複数の指部１８とを含む。複数のアーム１６の間に、複数の指部１８を連繋するように置く。
【０１１１】
各々のアーム１６は、本体１２に、外縁の固定端１３で蝶番式に備え付けられ、それにより、各々のアーム１６が、操作時に、開き位置と閉じ位置との間で変位するのが容易になる。開き位置では、各アーム１６の円周端１３’は、密封されるべき容器の口（図示されず）の外周よりも大きな円周を定める。
【０１１２】
各々の指部１８は、本体１２に、固定端１３で実質的に固定され、本体（１２）の容器嵌合面から平面から実質的に垂直に伸びる。開き位置では、各支部１８の固定端１３は、密封されるべき容器の口（図示されず）の外周と一般に等しい円周を定め、そのために、閉じ蓋１０が容器の口（図示されず）に付けられる場合、各指部１８の容器嵌合面は、容器の口に実質的に隣接する。
【０１１３】
閉じ位置では、各アームの円周端１３’は、実質的に、関わりのある指部１８の隣に位置する。
【０１１４】
図２ｂに関して、一般に、四面体の保持要素２０が、各アーム１６の円周端１３’の隣に与えられる。各保持要素２０は、アーム１６の外面の平面から実質的に垂直に投影され、本体１２に対して、一般的に内側に方向付けられる。 図４ａは、ボトル２８等の容器へ閉じ蓋１０を付与することを示す。付与の前に、アーム１６は、開き位置にある。閉じ蓋１０は、本体１２の容器嵌合面が、ボトル２８の口により定められる開口部を覆うようにボトル２８に付与される。図４ｂでは、各々の指部１８が、ボトル２８の口３０の隣に位置し、その口に外接し、ボトル２８の口３０で、閉じ蓋１０を一時的に保持している。
【０１１５】
図４ｃに関して、閉じ蓋１０が付与された後に、各々のアーム１６は、閉じ位置に定められ、それにより、各アーム１６は、指部１８の隣に位置する。保持要素２０は、閉じ蓋３０がボトル２８から外れるのを抑制する留め具として口３０が働くように、ボトル２８の口３０の隣に位置することができる。
【０１１６】
ボトル２８の口３０の開口部を密封するために、アーム１６は、隣接指部１８と連続的な接続を形成するように変形される。各アーム１６の円周端１３’は、任意選択で又は追加で、隣接するアーム１６又は隣接指部１８と連続的な接続を形成するように変形されることが検討される。連続した環は、アーム１６及び／又は指部１６の間で形成され、ボトル２８の口３０に閉じ蓋１０を固定し、それにより、口３０により定められる開口部が密封される。
【０１１７】
閉じ蓋１０にエネルギーを与えることにより、各アーム１６を形成することができる。エネルギーは、閉じ蓋１０を変形させるのに十分な熱エネルギーの形態であり得る。好ましくは、エネルギーは、エネルギーが、隣接するアーム１６と外縁１４の指部１８の間で連続的な接続を形成するのに十分であるように、閉じ蓋１０の外縁１４に局所的に与えられる。エネルギーは、例えば、誘導コイルにより熱の形態であり得る。代わりに、エネルギーは、例えば、音極により与えられる超音波の形態であり得る。与えられるエネルギー及び付与方法の種類は、閉じ蓋１０が形成される材料に依存し、当業者により選択され得る。閉じ蓋１０は、アセタール、ＰＥＴ、ナイロン、トパーズ、ＡＢＳ、又はポリカーボネート等の結晶性熱可塑性材料から形成され得ることが検討される。
【０１１８】
密封された後に、外縁１４のアーム１６及び／又は指部１８の間に形成される連続した環は、容器の閉じ蓋１０を確実に保持する手段を与える。有利には、各アーム１６の変形により、隣接するアーム１６及び／又は隣接指部１８との連続的な接続が生じ、それは、口の形又は寸法の差、又は切り屑又は不規則な構造等の製造欠陥に関わらず、容器２８の口１０に閉じ蓋１０を固体するための、しっかりとした密封を提供する。
【０１１９】
上記の方法により以前に密封された、容器２８の口３０により定められる開口部から閉じ蓋１０を外すために、非連続点を定める裂け目が、アーム１６及び／又は指部１８の間に形成される連続的な環の中に導入される。有利には、閉じ蓋は、閉じ位置で、従来の栓抜き内に部分的に受容されるように形及び寸法が定められ、そのために、従来の栓抜き手段を利用して、連続的環に裂け目を導入することができる。それにより、連続的な環は、有利には、実際にはそのような閉じ蓋上に与えられない、不正開封証明シールとしても働く。更に、連続的な環は、裂け目が導入された後に、閉じ蓋１０と共に、ボトルから取り除かれる。従来の不正開封証明シールでは、シールの一部分は、容器上に保持され、シールの一部分を保持する手段が、容器により与えられ得る。本発明は、そのような手段の必要性を回避する。
【０１２０】
ここで、図３ａ及び図３ｂに関して、本発明の第２実施形態による閉じ蓋１１０が示される。閉じ蓋１１０は、第１部分２２と第２部分２６とを含む。
【０１２１】
第１部分２２は、本体１１２と外縁１１４とを含む。本体１１２は、一般に、形が、円盤状且つ平面状である。外縁１１４は、一般に環形であり、本体１１２の円周端に固定される固定端１１３と、円周方向の自由端１１３’とを有する。外縁１１４は、複数の離間したアーム１１６を含み、そのアーム１６の各々は、本体１１２に、固定端１１３で蝶番式に備え付けられ、それにより、各々のアーム１１６が、操作時に、開き位置と閉じ位置との間で変位するのが容易になる。
【０１２２】
第２部分２６は、本体１１２と外縁１１４とを含む。本体１１２は、一般に、形が、円盤状且つ平面状である。外縁１１４は、一般に、環状であり、複数の離間した指部１１８を含み、その指部１１８の各々は、本体１１２の容器嵌合面から実質的に垂直に伸びる。第２部分２６は、第１部分２２内に受容され、保持されるように適合されており、それにより、第２部分２６の外面は、第１部分２２の容器嵌合面の隣に位置し、そのために、第１部分２２のアーム１１６の間に、第２部分２６の指部１１８を連繋するように置く。
【０１２３】
本発明の第２実施形態による閉じ蓋１１０により、部品の寸法及び複雑性のために、一部分の実施例が製作しがたくなり得る場合の、製造が容易になる。単一製品射出成形器具は、破壊されやすい大量の小さな、入り組んだ、繊細な部品を有する。２つの部分の閉じ蓋を作製することにより、より簡単な構成部品を有する、個別に作製するための射出成形器具を利用して、閉じ蓋の別個の部分品を作製することができ、個別に作製される場合、各部分品は、それ自体の構造健全性を保持することになる。
【０１２４】
図３に関して、流体非浸透性薄膜２４を閉じ蓋１１０の内面上に与え、前記閉じ蓋が容器の口に付与された後に、薄膜２４が耐流体障壁を形成することが検討される。薄膜２４は、閉じ蓋１１０の容器嵌合面に、又は代わりに、第１部分２２の容器嵌合面に位置し得る。部材２４は、好ましくは、アルミニウムで形成されるが、当業者により選択されてもよい。容器と共に耐流体封止材を保持するのを補助するために、密封材料（図示されず）を閉じ蓋１１０の容器嵌合面に付与してもよい。適切な材料として、熱可塑性エラストマー類が挙げられる。または、本発明の用途に、スチレン−エチレン／ブタジエン−スチレン（ＳＥＢＳ）、又はスチレン−エチレン／ポリプロピレン−スチレン（ＳＥＰＳ）等の熱可塑性ブロック共ポリマー類も検討される。
【０１２５】
図３ｃに関して、本発明の第３実施形態による閉じ蓋１１０が示される。内部分２６は、炭酸の液体から放出されるガス泡により生成される発泡体の特性を管理するための小型装置等の装置を少なくとも部分的に受容するように適合される。好ましい実施形態では、内部分２６は、小型装置（図示されず）等のその装置を少なくとも部分的に収容するように形及び寸法が定められる。内部分２６は、内部分２６の容器嵌合面が、容器の口（図示されず）により定められる開口部の長手軸に沿って伸びるように形及び寸法が定められ、そのために、使用中に、小型装置等の装置が、容器内の液体と接触することが検討される。
【０１２６】
ここで、図５に関して、本発明の第４実施形態による閉じ蓋２１０が示される。閉じ蓋２１０は、本体２１２と外縁２１４とを含む。外縁２１４は、一般に環状であり、本体２１２の円周端に固定される固定端２１３と、円周方向の自由端２１３’とを有する。
【０１２７】
外縁２１４は、複数のアーム２１６を含む。前記複数のアームに連繋するように、複数の指部２１８が置かれる。各々のアーム２１６は、本体２１２に、外縁の固定端２１３で蝶番式に備え付けられ、それにより、第１組の各々のアームが、操作時に、開き位置と閉じ位置との間で移動することが容易になる。
【０１２８】
各々の指部２１８は、本体２１２に、固定端２１３で実質的に固定され、本体２１２の容器嵌合面から実質的に垂直に伸びる。
【０１２９】
閉じ蓋２１０の本体２１２は、頸部３２を更に含む。頸部３２は、一般に中空の円筒であり、第１開口端と第２開口端とを有する。頸部３２は、一般に、本体２１２の外面から垂直に伸び、前記外面と実質的に同軸である。頸部３２の第１開口端の終端は、外縁２１４の固定端２１３の隣の本体２１２に固定される。頸部３８の内面は、外縁２１４と連続しており、一般に、本体２１２内に開口部を定める。ねじ溝３４は、頸部３２の外面上に与えられ、ねじ込みキャップ（図示されず）の可逆的な付与を容易にする。
【０１３０】
ここで、図６に関して、本発明の第５実施形態による閉じ蓋３１０が示される。閉じ蓋３１０は、本体３１２と外縁３１４とを含む。本体３１２は、一般に、形が、円盤状且つ平面状である。外縁３１４は、一般に環状であり、本体３１２の円周端に固定される固定端３１３と、円周方向の自由端３１３’とを有する。
【０１３１】
閉じ蓋３１０は、外縁３１４の少なくとも一部が、本体３１２と共に停止栓３６を形成するように適合される。使用中に、閉じ蓋３１０の容器嵌合面が、容器の口（図示されず）の内面と共に締めばねを形成するように、停止栓３６は、形及び寸法が定められる。外縁３１４は、外縁３１４の円周方向の自由端３１３’の隣に位置する、複数の離間したアーム３１６を含む。各々のアーム３１６は、本体３１２に、外縁の固定端３１３で蝶番式に備え付けられ、それにより、各々のアーム３１６が、操作時に、開き位置と閉じ位置との間で移動するのが容易になる。
【０１３２】
開き位置では、アーム３１６は、外縁３１４と隣接しており、そのために、円周方向の終端３１３’は、本体３１２から実質的に離れて向き合うように方向付けられる。閉じ位置では、アーム３１６は、外縁３１４と実質的に平行であるように方向付けられ、各アーム３１６は、本体３１２に実質的に向き合う。使用中、本体３１２及び外縁３１４の少なくとも一部から形成される停止栓３６は、容器の口の内面に付与され、アーム３１６は、容器の口の終端に向かって伸びると理解される。
【０１３３】
容器の口により定められる開口部を密封するために、各アーム３１６が隣接するアーム３１６と実質的に並列して、且つ、容器の口の外面の隣に位置するように、アーム３１６は、開き位置から閉じ位置へ移動される。上記のように、閉じ蓋３１０にエネルギーを与えることにより、各アーム３１６を変形することができる。
【０１３４】
図７ａに関して、本発明の第６実施形態による閉じ蓋４１０が示される。閉じ蓋４１０は、本体４１２と外縁４１４とを含む。本体４１２は、一般に、形が、円盤状且つ平面状である。外縁４１４は、一般に環状であり、本体４１２の円周端に固定される固定端４１３と、円周方向の自由端４１３’とを有する。閉じ蓋４１０の外縁４１４は、本明細書に記載されるように、一般に、複数の離間したアーム４１６と複数の指部４１８とを有する。複数のアーム４１６に、連繋するように、複数の指部４１８が置かれる。
【０１３５】
本体４１２は、閉じ蓋４１０が付与された後に、容器（図示されず）から液体を分注するための飲み口４０を含む。飲み口４０は、一般に中空の円筒であり、液体が通り抜けるのを容易にする開口端を有する。飲み口４０は、飲み口４０が閉じ位置と開き位置との間で移動可能なように、使用中に、本体４１２に蝶番式に備え付けられる。飲み口４０は、備え付け手段４２利用して本体４１２に備え付けられる。本実施形態では、備え付け手段は、球窩式継ぎ手を含むが、飲み口４０が、開き位置と閉じ位置との間で移動するのを可能にする、いずれかの備え付け手段が利用され得ることが理解される。備え付け手段４２は、球部分４４と窩部分４６とを含み、球部分４４は、球部分４４が３軸方向の回転することができるように、使用中に、窩部分４６内に受容される。飲み口４０は、球部分４４と一体化され、前記球部分を通り抜ける。
【０１３６】
窩部分４６は、２つの流路４８、４８’を含み、その各々は、飲み口４０の開口端を受容するように、形及び寸法が定められる。各流路４８、４８’は、一般に、横手方向の断面が半円状であり、閉口端を有する。各流路の第１末端は、窩部分４６と一体化され、各流路の対向する第２末端は、本体４１２と一体化される。
【０１３７】
閉じ位置（図示されず）では、飲み口４０は、飲み口４０の各々の開口端が、各々の関わりのある流路４８、４８’の閉口端と隣接し、前記閉口端と共に締めばねを形成することにより、液体不浸透性障壁を形成するように、各々の関わりのある流路内に位置する。開き位置では、飲み口４０の各々の開口端が各々の関わりのある流路４８、４８’から遊離し、液体が飲み口４０を通り抜けることができるように、飲み口４０は、蝶番式に回転することができる。
【０１３８】
プラスチックボトル（図示されず）等の容器は、最初に、無菌で充填され、次に、任意選択で、熱密封シート膜（図示されず）を利用して密封されるように意図されている。本発明の第６実施形態は、図７に示されるように、そのように充填された容器と、任意選択で、開口部を密封するシートと共に利用されるように意図されている。閉じ蓋４１０は、上記のように、充填された後に、容器の開口部の周りに又は前記開口部に密封され、飲み口４０は、シートを突き刺し、容器内に液体を分注するために利用される。現在の技術を通じてのこの実施形態の利便性は、ボトルが、覆い／閉じ蓋上のねじ込みを受容するための溝形状を開口端で必要とせず、代わりに、本発明を用いるための簡単な球部分のみを必要とすることである。第２に、本発明は、閉じ位置にあるように永久的に備え付けられた装置を、容器の開口部に与えるように整えられ、それにより、容器は、層又は薄膜に穴を開けるのに必要な力を相殺することができる。代わりに、鉛直方向のプランジャ又はねじ込み装置（図示されず）を利用して、図示された飲み口の代わりに、その層に穴を開け得ることが検討される。
【０１３９】
図８は、本発明の第１態様による閉じ蓋を利用して、容器の口により定められる開口部を密封する組立システム５０の側面図（８ａ）及び平面図（８ｂ）である。組立システム５０は、搬送手段５２、回転手段５４、及び変形手段６０を含む。搬送手段５２は、図８ａに示される方向に移動する実質的に平らなベルトを含むが、そのベルトは、示された方向に又は反対方向に動作するように配置され得ることが理解される。ベルトは、一連の容器５６を収容するように形及び寸法が定められ、各容器は、容器の口により定められる開口部を有する。ベルトは、潤滑油を施されたステンレス鋼又はポリエチレン等の摩擦が極めて低い材料から形成される。容器５６は、組立システムを通じて、ベルトを示された方向に駆動するモータ（図示されず）により駆動される。平らなベルトは、止まっていてもよく、容器５６は、ベルトの表面とは無関係に移動することができる。
【０１４０】
搬送手段５２は、誘導補助部品５８を含み、前記誘導補助部品は、搬送手段５２に沿って容器を誘導し、搬送手段５２を非線形（又は曲線）方向の移動に適合させることができる。
【０１４１】
回転手段５４は、容器嵌合面と自由面とを有するように方向付けられている滑車ベルトを含む。滑車ベルトの容器嵌合面は、使用中に、各々の容器５６に接触し、図８ｂに示される方向に移動するように方向付けられている。このように、回転手段５４は、各容器５６の側面に指向性の力を与え、前記力は、誘導補助部品５８により容器５６の側面に与えられる摩擦力と対向し、前記誘導補助部品は、それと共に、各容器５６をその長手軸の周りに独立して回転させる。
【０１４２】
各容器５６は、組立システム５０に直列に入り、閉じ蓋は、容器の口により定められる開口部に押し付けられる。
【０１４３】
変形手段６０は、一連の音極を含む。音極の数は、組立システム５０の寸法に依存し、当業者により選択され得る。理論に拘束されることなく、直列の音極の数がより大きく、効率的なエネルギー源がより長く、密封プロセスが、より速いことが考えられる。各音極は、形が一般に平面状であり、音極から伸びて、且つ、各容器５６の口により定められる開口部に付与される閉じ蓋と接触するように配置される、終端６４を有する。
【０１４４】
その上、図８ｃに関して、使用中に、各容器５６は、誘導補助部品５８に沿って転がり、その長手軸の周りに回転する。変形されるべき閉じ蓋の部分は、各音極の終端と接触するように運ばれる。容器の回転により、閉じ蓋は、音極の終端に沿って同時に転がる。任意選択で、回転手段５４の同じ方向に又は反対方向に移動し得る圧力ベルト６２により、圧力が閉じ蓋の対向側に加えられる。代わりに、圧力ベルト６２は、止まっていてもよい。各々の又はいずれかの音極は、密封を行うために、各々の閉じ蓋に向かって短い距離を移動するように適合されてもよい。各々の又はいずれかの音極は、他方では、密封が終了した後に、各々の閉じ蓋から離れて移動し、その閉じ蓋に加えられる圧力を低下させるように適合されてもよく、組立システム５０は、できる限り速く容器５６から退き、続いて、密封されるべき容器５６の次のバッチに向かうことができる。
【０１４５】
エネルギー源が電磁誘導コイルのものである場合、コイルは、適切な樹脂性の材料の中に埋め込まれることが検討される。
【０１４６】
電磁誘導エネルギー又は熱エネルギーが利用される場合、単一の線形源は、機械の処理能力に適するように寸法が定められるであろう。
【０１４７】
図９は、本発明による閉じ蓋を利用して、容器の口により定められる開口部を密封する変形手段５６０の代わりの実施形態を示す。変形手段５６０は、形が一般に円筒状であり開口端６６を有する、音極を含む。音極の開口端６６は、容器の口により定められる開口部を受容するように形及び寸法が定められ、前記容器の口に、本発明による閉じ蓋が押し付けられている。音極は、変形を起こすために、閉じ蓋に超音波振動の形態のエネルギーを同時に与える。
【符号の説明】
【０１４８】
閉じ蓋    １０、１１０、２１０、３１０、４１０
本体      １２、１１２、２１２、３１２、４１２
外縁      １４、１１４、２１４、３１４、４１４
アーム    １６、１１６、２１６、３１６、４１６
指部      １８、１１８、２１８、３１８、４１８
保持要素  ２０
内部分    ２６
口        ３０
容器      ５６
【図１ａ】
2015166266.tif 000003
【図１ｂ】
2015166266.tif 000004
【図２ａ】
2015166266.tif 000005
【図２ｂ】
2015166266.tif 000006
【図３ａ】
2015166266.tif 000007
【図３ｂ】
2015166266.tif 000008
【図３ｃ】
2015166266.tif 000009
【図４ａ】
2015166266.tif 000010
【図４ｂ】
2015166266.tif 000011
【図４ｃ】
2015166266.tif 000012
【図５】
2015166266.tif 000013
【図６】
2015166266.tif 000014
【図７ａ】
2015166266.tif 000015
【図７ｂ】
2015166266.tif 000016
【図８ａ】
2015166266.tif 000017
【図８ｂ】
2015166266.tif 000018
【図８ｃ】
2015166266.tif 000019
【図９】
2015166266.tif 000020